(57)【要約】【課題】釣銭不定残置運用を行う場合であっても適切に売上集計を行うことができる現金処理装置及び現金処理プログラムを提供する。【解決手段】本発明は、レジスタに残置させる残置釣銭情報を記憶する残置釣銭記憶手段と、レジスタの出金情報及びレジスタからの入金情報を記憶する入出金情報記憶手段と、残置釣銭記憶手段からレジスタの前回の売上集計時の残置釣銭情報を取得し、レジスタの前回の売上集計時の残置釣銭情報と今回取得した残置釣銭情報との差額を求め、当該差額と入出金情報記憶手段から取得したレジスタの出金情報及び入金情報とに基づいて、レジスタの売上集計を行う集計処理手段とを備えることを特徴とする現金処理装置である。【選択図】      図１
2014164521.tif 000002
【特許請求の範囲】
【請求項１】
レジスタに残置させる残置釣銭情報を記憶する残置釣銭記憶手段と、
レジスタの出金情報及びレジスタからの入金情報を記憶する入出金情報記憶手段と、
上記残置釣銭記憶手段からレジスタの前回の売上集計時の残置釣銭情報を取得し、レジスタの前回の売上集計時の残置釣銭情報と今回取得した残置釣銭情報との差額を求め、当該差額と上記入出金情報記憶手段から取得したレジスタの出金情報及び入金情報とに基づいて、レジスタの売上集計を行う集計処理手段と
を備えることを特徴とする現金処理装置。
【請求項２】
レジスタの入金処理の際、当該レジスタに残置させる残置釣銭情報を取得し、取得した上記残置釣銭情報を今回の売上集計時の残置釣銭情報として上記残置釣銭記憶手段に記憶する残置釣銭制御手段を備えることを特徴とする請求項１に記載の現金処理装置。
【請求項３】
表示手段と、
レジスタの売上入金処理を行うものであって、少なくとも当該レジスタの今回取得した残置釣銭情報を含む確認画面を上記表示手段に表示させる入金処理手段と
を備え、
上記残置釣銭制御手段が、当該レジスタの今回取得した残置釣銭情報の修正があったときに、修正後の残置釣銭情報に訂正するものであることを特徴とする請求項２に記載の現金処理装置。
【請求項４】
上記入金処理手段が、前回の売上集計から今回の売上集計までの間に複数回に亘ってレジスタの売上集計を行う途中入金を行うものであり、
上記入金処理手段が、２回目以降の途中入金を行う際、前回の売上集計から今回の売上集計までの間で、直前に取得した残置釣銭情報を、今回取得した残置釣銭情報として含む確認画面を上記表示手段に表示させるものであることを特徴とする請求項３に記載の現金処理装置。
【請求項５】
上記入金処理手段が、１回の売上入金処理の中で、１回又は複数回の追加的な入金処理を行う追加入金を行うものであり、
上記入金処理手段が、上記追加入金を行う際、前回の売上集計から今回の売上集計までの間で、直前に取得した残置釣銭情報を、今回取得した残置釣銭情報として含む確認画面を上記表示手段に表示させるものであることを特徴とする請求項３又は４に記載の現金処理装置。
【請求項６】
上記残置釣銭制御手段が、上記２回目以降の途中入金又は上記追加入金を行う際に、当該レジスタの今回取得した残置釣銭情報の修正があったときに、修正後の残置釣銭情報に訂正するものであることを特徴とする請求項４又は５に記載の現金処理装置。
【請求項７】
上記残置釣銭制御手段が、所定日又は所定期間に、予め設定された残置釣銭情報を用いる釣銭定額残置運用の動作モードに切り替えるものであり、
上記残置釣銭制御手段が、釣銭定額残置運用の動作モードに切り替えると、予め設定された残置釣銭情報を、今回の売上集計時の残置釣銭情報として上記残置釣銭記憶手段に記憶するものであることを特徴とする請求項２〜６のいずれかに記載の現金処理装置。
【請求項８】
予め設定された、釣銭不定残置運用又は釣銭定額残置運用の別を示すスケジュール情報を記憶するスケジュール情報記憶手段を備え、
上記残置釣銭制御手段が、上記スケジュール情報記憶手段を参照して、今回の動作モードを、釣銭不定残置運用又は釣銭定額残置運用の動作モードのいずれかに切り替えるものであることを特徴とする請求項７に記載の現金処理装置。
【請求項９】
レジスタに残置させる残置釣銭情報を記憶する残置釣銭記憶手段と、
レジスタの出金情報及びレジスタからの入金情報を記憶する入出金情報記憶手段と
を備えるコンピュータを、
上記残置釣銭記憶手段からレジスタの前回の売上集計時の残置釣銭情報を取得し、レジスタの前回の売上集計時の残置釣銭情報と今回取得した残置釣銭情報との差額を求め、当該差額と上記入出金情報記憶手段から取得したレジスタの出金情報及び入金情報とに基づいて、レジスタの売上集計を行う集計処理手段として機能させることを特徴とする現金処理プログラム。
【発明の詳細な説明】
【技術分野】
【０００１】
本発明は、現金処理装置及び現金処理プログラムに関し、例えば商業店舗において、釣銭を残置させるレジスタから現金を収集して売上集計を行う現金処理装置及び現金処理プログラムに適用し得るものである。
【背景技術】
【０００２】
商業施設等において用いられるレジスタで売り上げた金額（売上金）を集計する方法には、レジスタから現金を回収する運用の仕方に応じて様々な方法がある。
【０００３】
例えば、レジスタのドロワー（現金収納庫）を一括回収する一括回収運用がある。これは、レジスタ担当者等が担当するレジスタのドロワーに釣銭準備金を収めておき、業務終了後に、ドロワーの全ての現金（売上金と釣銭準備金）を回収するというものである。
【０００４】
また例えば、釣銭残置運用がある。釣銭残置運用は、現金処理装置が出金する釣銭準備金とは別に、所定金額の釣銭をレジスタに残置させておくというものである（特許文献１参照）。そのため、レジスタから回収する金額は、ドロワーの全ての現金金額から、残置させておく釣銭（以下、残置釣銭ともいう）の額を差し引いた額となる。これにより、店舗の繁盛期等に、予め翌日分の釣銭をレジスタに残置させておくことができる。
【０００５】
また、近年例えばＰＯＳ（Point  Of  Sale  System）端末と自動釣銭機とが接続したいわゆるＰＯＳレジスタが用いられており、ＰＯＳレジスタの場合にも、釣銭残置運用が用いられている。
【０００６】
一括回収運用の場合、従来の現金処理装置は、業務開始前に、現金処理装置が釣銭を準備するためにレジスタ毎の釣銭を出金し、業務終了後に、現金処理装置がレジスタのドロワー（現金収納庫）の全ての現金（売上金と釣銭準備金とを含む金額）を入金する。そして、現金処理装置は、レジスタ毎の入金金額から出金金額を差し引いてレジスタ毎の売上金額を算出している。
【０００７】
一定額の釣銭を残置させる釣銭定額残置運用の場合も、従来の現金処理装置は一括回収運用の場合と同様に行うことができる。図１９を参照して説明する。
【０００８】
図１９において、業務開始前の時点で、所定額（例えば１５万円）の釣銭がレジスタに残置する。業務開始前に、従来の現金処理装置が釣銭準備金（例えば５万円）を出金し、出金された釣銭準備金がレジスタに収納され、レジスタの在高は２０万円となる。
【０００９】
ここで、当該レジスタにより売上金が３０万円であるとする。そうすると、レジスタの在高は５０万円となる。
【００１０】
業務終了後に、当初の所定額（例えば１５万円）の釣銭をレジスタに残置させて、レジスタ担当者又は管理人は残置釣銭以外の全ての現金（例えば３５万円）を現金処理装置に入金する。
【００１１】
この場合、現金処理装置は、レジスタの入金金額（例えば３５万円）から出金金額（例えば５万円）を差し引いてレジスタの売上金額（例えば３０万円）を算出している。
【先行技術文献】
【特許文献】
【００１２】
【特許文献１】特開平９−１６１１２４号公報
【発明の概要】
【発明が解決しようとする課題】
【００１３】
しかしながら、レジスタに残置させる額が一定でない釣銭不定残置運用の場合、レジスタ担当者又は管理者は、現金処理装置から出金又は入金を行うたびに、残置釣銭の額が異なるため、従来の現金処理装置は適切に売上集計ができない場合が生じ得る。図２０を参照して説明する。
【００１４】
図２０において、業務開始前の時点で、所定額（例えば１５万円）の釣銭がレジスタに残置する。業務開始前に、従来の現金処理装置が釣銭準備金（例えば５万円）を出金し、出金された釣銭準備金がレジスタに収納され、レジスタの在高は２０万円となる。
【００１５】
ここで、当該レジスタにより売上金が３０万円であるとする。そうすると、レジスタの在高は５０万円となる。
【００１６】
業務終了後に、今回の残置釣銭の額を例えば２０万円とする。レジスタ担当者又は管理者は、残置釣銭以外の全ての現金（例えば３０万円）を現金処理装置に入金する。
【００１７】
この場合、現金処理装置は、レジスタの入金金額（例えば３０万円）から出金金額（例えば５万円）を差し引いてレジスタの売上金額（例えば２５万円）を算出する。つまり、売上金が３０万円であるにもかかわらず、売上金２５万円と算出してしまい、適切に売上金を計上できない。
【００１８】
そのため、少なくとも釣銭不定残置運用を行う場合であっても適切に売上集計を行うことができる現金処理装置及び現金処理プログラムが求められている。
【課題を解決するための手段】
【００１９】
かかる課題を解決するために、第１の本発明は、（１）レジスタに残置させる残置釣銭情報を記憶する残置釣銭記憶手段と、（２）レジスタの出金情報及びレジスタからの入金情報を記憶する入出金情報記憶手段と、（３）残置釣銭記憶手段からレジスタの前回の売上集計時の残置釣銭情報を取得し、レジスタの前回の売上集計時の残置釣銭情報と今回取得した残置釣銭情報との差額を求め、当該差額と上記入出金情報記憶手段から取得したレジスタの出金情報及び入金情報とに基づいて、レジスタの売上集計を行う集計処理手段とを備えることを特徴とする現金処理装置である。
【００２０】
第２の本発明は、レジスタに残置させる残置釣銭情報を記憶する残置釣銭記憶手段と、レジスタの出金情報及びレジスタからの入金情報を記憶する入出金情報記憶手段とを備えるコンピュータを、残置釣銭記憶手段からレジスタの前回の売上集計時の残置釣銭情報を取得し、レジスタの前回の売上集計時の残置釣銭情報と今回取得した残置釣銭情報との差額を求め、当該差額と入出金情報記憶手段から取得したレジスタの出金情報及び入金情報とに基づいて、レジスタの売上集計を行う集計処理手段として機能させることを特徴とする現金処理プログラムである。
【発明の効果】
【００２１】
本発明によれば、釣銭不定残置運用を行う場合であっても適切に売上集計を行うことができる。
【図面の簡単な説明】
【００２２】
【図１】実施形態に係る入出金装置の内部構成を示す内部構成図である。
【図２】実施形態に係る入出金装置の外観斜視図である。
【図３】第１の実施形態の入出金装置の主制御部による現金処理機能を示す機能ブロック図である。
【図４】第１の実施形態の残置釣銭記憶部に記憶される残置釣銭情報の構成を示す構成図である。
【図５】第１の実施形態に係る入出金装置における出金処理の動作を示すフローチャートである。
【図６】第１の実施形態の入出金履歴記憶部における入出金履歴を説明する説明図である。
【図７】第１の実施形態に係る入出金装置における最終入金処理の動作を示すフローチャートである。
【図８】第１の実施形態に係る入出金装置における入金処理の動作を示すフローチャートである。
【図９】第１の実施形態の入金処理に係る選択画面の一例を示す画面図である。
【図１０】第１の実施形態に係る残置釣銭情報の入力画面の一例を示す画面図である。
【図１１】第１の実施形態に係る残置釣銭情報の確認画面の一例を示す画面図である。
【図１２】第１の実施形態に係る残置釣銭情報の訂正画面の一例を示す画面図である。
【図１３】第１の実施形態に係る入出金装置における追加処理の動作を示すフローチャートである。
【図１４】第１の実施形態に係る入出金装置における途中処理の動作を示すフローチャートである。
【図１５】第１の実施形態に係る入出金装置における集計処理（精算集計）の動作を示すフローチャートである。
【図１６】第１の実施形態の集計処理部による売上集計処理を説明する説明図である。
【図１７】第２の実施形態の入出金装置の主制御部による現金処理機能を示す機能ブロック図である。
【図１８】第２の実施形態に係る入出金装置における最終入金処理の動作を示すフローチャートである。
【図１９】従来の現金処理装置における集計処理を説明する説明図である。
【図２０】従来の現金処理装置における集計処理を説明する説明図である。
【発明を実施するための形態】
【００２３】
（Ａ）第１の実施形態
以下では、本発明の現金処理装置及び現金処理プログラムの第１の実施形態を、図面を参照しながら詳細に説明する。
【００２４】
第１の実施形態では、例えば商業店舗において、レジスタの釣銭準備金を出金したり又はレジスタから回収した現金を入金したりして売上金を集計する入出金装置に、本発明を適用する場合を例示する。
【００２５】
また、第１の実施形態では、レジスタの運用が釣銭不定残置運用の場合を例示する。釣銭不定残置運用は、例えば、万券等のように釣銭に利用できない金種や、レジスタに収納しきれいない金種を閉店後に回収し、それ以外の金種をレジスタ内に残置させる運用である。そのため、残置させる釣銭の金額は、その日その日によって異なる。
【００２６】
（Ａ−１）第１の実施形態の構成
（Ａ−１−１）入出金装置１０の全体構成
図２は、実施形態に係る入出金装置１０の外観斜視図である。また、図１は、実施形態に係る入出金装置１０の内部構成を示す内部構成図である。
【００２７】
入出金装置１０は、例えば、商業店舗等に設けられたレジスタが取り扱う現金を管理するものである。また、入出金装置１０は、例えばショッピングセンタ等のように複数のショップからなる大規模な店舗において、各ショップのレジスタが取り扱う現金だけでなく、ショップ毎の現金を管理するものである。
【００２８】
図１において、入出金装置１０は、大別して、硬貨処理機１、紙幣処理機２、表示部３、操作部４、カードリーダ５、伝票記録部６、記録部７、主制御部８を少なくとも有して構成される。
【００２９】
表示部３は、例えばＬＣＤ等により、入出金装置１０の各種の処理操作の案内、入力画面、入力情報、金種別の入金金額又は出金金額、売上金等を表示する表示手段である。
【００３０】
操作部４は、レジスタの現金を入出金するレジスタ担当者や売上の締めを行なう店長等の管理者が操作するものである。また、操作部４は、後述する入出金処理を行なうために、釣銭出金に係る入力、レジスタに残置させる残置釣銭に係る入力、残置釣銭の額の訂正処理の入力等を行なう際に、レジスタ担当者や管理者等が操作するものである。操作部４は、例えば、キーボードやテンキーなどの物理的な入力手段や、表示部３上に配置されたタッチパネル等の入力手段を適用することができる。
【００３１】
カードリーダ５は、入出金装置１０の利用者であるレジスタ担当者や管理者等が使用するＩＤカードの情報を読み取るものである。ここで、ＩＤカードとしては、管理者が用いる管理カード、レジスタの担当者が用いるレジスタカード、店舗毎に発行された店舗カード等がある。
【００３２】
伝票記録部６は、硬貨処理機１や紙幣処理機２で行われた入金処理又は出金処理の金額、金種別枚数等を伝票に記録して出力するものである。伝票記録部６は、例えば、プリンタ等を適用することができる。
【００３３】
記録部７は、入金・出金処理履歴、回収庫交換履歴、釣銭収納庫入出金履歴、回収庫入金履歴等を格納するカウンタテーブルを有するものである。また、記録部７は、後述する主制御部８が実行する制御プログラムや、主制御部８による処理結果も記憶するものである。
【００３４】
さらに、記録部７は、操作部４から入力されたレジスタに残置させる金種別の残置釣銭の枚数及び額をレジスタ毎に記憶するものである。なお、釣銭不定残置運用の場合、レジスタ毎の残置釣銭が異なる。このような場合、記録部７は、レジスタ毎の金種別の残置釣銭の枚数及び額を更新して記憶する。
【００３５】
主制御部８は、記録部７に格納されている制御プログラムに基づいて、入出金装置１０全体の処理を制御するものである。
【００３６】
第１の実施形態において、主制御部８は、業務開始前のレジスタの残置釣銭と、業務開始後のレジスタの残置釣銭とを反映させて売上集計（いわゆる精算集計）を行う現金処理機能を有する。
【００３７】
硬貨処理機１は、レジスタから回収した硬貨を一括して受け入れる硬貨入金口１１と、この硬貨入金口１１に受け入れた硬貨を１枚ずつ分離して、硬貨の金種等を鑑別すると共に鑑別した硬貨を金種毎に計数する硬貨鑑別部１２と、この硬貨鑑別部１２で鑑別計数された硬貨を一時保留する一時保留部１３と、レジスタ用の釣銭準備金として使用する硬貨を金種別に収納する複数の釣銭用硬貨収納庫（釣銭用現金収納庫）１４、入金硬貨を金種別に収納する硬貨回収庫１５と、釣銭用の硬貨を出金するための硬貨出金庫１６と、硬貨リジェクト口１７と、制御プログラムに基づいて硬貨処理機１全体の動作制御を行う制御部１８を少なくとも有して構成される。
【００３８】
ここで、一時保留部１３、釣銭用硬貨収納庫１４、硬貨回収庫１５、及び硬貨出金庫１６は金種毎に分けて硬貨を集積、収納できるように内部が区切られている。
【００３９】
また、硬貨入金口１１と硬貨鑑別部１２との間には、分離部により分離された硬貨を搬送する搬送ベルト等による搬送路が設けられている。また、釣銭用硬貨収納庫１４と硬貨回収庫１５及び硬貨出金庫１６との間には、釣銭用硬貨収納庫１４から排出される硬貨を硬貨回収庫１５と硬貨出金庫１６とのいずれかに導く振分け手段と、通過する硬貨を金種毎に計数する計数手段とが設けられている。
【００４０】
また、釣銭用硬貨収納庫１４には、収納する硬貨の金種毎に保管基準額が設定されており、その保管基準額を保つために入金処理された硬貨を収納するようになっている。また、釣銭用硬貨収納庫１４にも硬貨を搬送路に繰り出す繰出し手段が設けられている。
【００４１】
硬貨回収庫１５は、複数用意され、必要に応じて交換されるものである。硬貨回収庫１５は、記憶部（識別情報保有部）１５ａを有する。記憶部１５ａは、硬貨回収庫１５を識別するための識別情報（例えばＩＤ番号等）を記憶する。例えば、制御部１８又は主制御部８は、硬貨回収庫１５の識別情報を認識して、硬貨回収庫１５を特定して制御する。
【００４２】
紙幣処理機２は、入金処理時にレジスタから回収した紙幣を一括して受け入れると共に出金処理時に釣銭としての紙幣を排出する紙幣入出金口２１と、この紙幣入出金口２１に受け入れた紙幣を１枚ずつ分離して、紙幣の金種等を鑑別すると共に鑑別した紙幣を金種毎に計数する紙幣鑑別部２２と、この紙幣鑑別部２２で鑑別計数された紙幣を集積して一時保留する一時保留部２３と、レジスタ用の釣銭準備金として使用する特定金種（例えば、五千円、千円等）の紙幣を金種別に収納する釣銭用紙幣収納庫（釣銭用現金収納庫）２４と、入金紙幣を金種別に収納する紙幣回収庫（現金回収庫）２５と、紙幣リジェクト庫２６と、制御プログラムに基づいて紙幣処理機２全体の動作制御を行う制御部２７を少なくとも有して構成される。一時保留部２３には紙幣を繰出す繰出し手段が設けられている。
【００４３】
また、釣銭用紙幣収納庫２４には、収納する紙幣の金種毎に保管基準額が設定されており、その保管基準額を保つために入金処理された紙幣を収納するようになっている。釣銭用紙幣収納庫２４にも紙幣の集積手段が紙幣を搬送路に繰り出す繰出し手段と共に設けられている。
【００４４】
また、紙幣回収庫２５は複数用意され、必要に応じて交換されるものであるが、各紙幣回収庫２５には、ニアフルやフルを検知するセンサが設けられており、これらのセンサにより紙幣の有無や、満杯状態を確認できるようになっている。但し、収納量は後述するテーブルに格納される入金履歴からも把握可能である。
【００４５】
更に、紙幣回収庫２５には、硬貨回収庫１５と同様に記憶部（識別情報保有部）２５ａが設けられている。記憶部２５ａは紙幣回収庫２５を識別するための識別情報（例えばＩＤ番号等）を記憶する。例えば、制御部２７又は制御部１８は、紙幣回収庫２５の識別情報を認識して紙幣回収庫２５を特定して制御する。
【００４６】
なお、硬貨処理機１の制御部１８及び紙幣処理機２の制御部２８は主制御部８の指示により硬貨処理機１及び紙幣処理機２を制御する。
【００４７】
（Ａ−１−３）現金処理機能について
図３は、第１の実施形態の入出金装置１０の主制御部８による現金処理機能を示す機能ブロック図である。
【００４８】
図３において、第１の実施形態の主制御部８は、残置釣銭制御部１０１、出金処理部１０３、入金処理部１０４、集計処理部１０５、訂正処理部１０６を有する。また、第１の実施形態の記憶部７は、残置釣銭記憶部１０２、入出金履歴記憶部１０７を有する。
【００４９】
残置釣銭制御部１０１は、レジスタ毎の残置釣銭を受け付け、各レジスタの残置釣銭を管理制御するものである。残置釣銭制御部１０１が各レジスタの残置釣銭を管理することにより、各レジスタの売上集計の際、各レジスタの残置釣銭の額を反映させた売上計上をさせることができる。また、残置釣銭制御部１０１は、残置釣銭情報設定部１０１ａ、残置釣銭情報訂正部１０１ｂを有する。
【００５０】
残置釣銭情報設定部１０１ａは、レジスタの残置釣銭情報を取得し、取得した残置釣銭情報をレジスタ毎に残置釣銭情報記憶部１０２に記憶するものである。
【００５１】
ここで、残置釣銭情報とは、レジスタに残置させる釣銭の金種別の枚数や残置釣銭の合計金額を含む情報である。図４は、残置釣銭記憶部１０２に記憶される残置釣銭情報の構成を示す構成図である。
【００５２】
図４において、残置釣銭情報は、レジスタを識別する「レジスタ識別情報」と、「残置釣銭」とを対応付けたものであり、「残置釣銭」の項目は残置釣銭の金種別枚数及び合計額とを有する。
【００５３】
なお、残置釣銭情報は、いつ設定されたかを示すために、設定日時情報を対応付けるようにしても良いし、また例えばフラグを付与して前日分と本日分とを区別するようにしても良い。
【００５４】
また、残置釣銭記憶部１０２には、それぞれのレジスタの残置釣銭情報の履歴を記憶するようにしても良い。図４の場合、前日と本日の２個の残置釣銭情報を示しているが、３個以上であっても良い。
【００５５】
例えば、図４において、「レジスタ識別番号：１」のレジスタの前日分の「残置釣銭」は、「五千円：３枚」、「千円：５枚」、「五百円：５０枚」、「百円：２００枚」、「五十円：２００枚」、「十円：２５０枚」、「五円：２００枚」、「一円：３００枚」とし、その合計額は「４９，０００円」であることを示す。
【００５６】
また例えば、図４において、「レジスタ識別番号：１」のレジスタの本日分の「残置釣銭」は、「五千円：３枚」、「千円：５枚」、「五百円：５０枚」、「百円：２５０枚」、「五十円：２００枚」、「十円：３００枚」、「五円：２００枚」、「一円：３００枚」とし、その合計額は「５０，０００円」であることを示す。
【００５７】
また、残置釣銭情報設定部１０１ａは、レジスタ担当者又は管理者の操作により、操作部４を通じて入力された残置釣銭情報を取得するものである。なお、第１の実施形態では、本発明の現金処理装置が入出金装置１０とする場合を例示しているが、本発明の現金処理装置がＰＯＳレジスタと接続する自動釣銭機等に搭載されるものである場合、残置釣銭情報設定部１０１ａはＰＯＳレジスタから入力された残置釣銭情報を取得するものとしても良い。
【００５８】
さらに、残置釣銭情報設定部１０１ａが残置釣銭情報の設定タイミングは、基本的には、売上入金の取引において行うことができる。例えば、残置釣銭情報の初期設定は、売上入金の取引において、業務開始前のレジスタの残置釣銭と、業務開始後の残置釣銭とを設定する。また、初期設定後の残置釣銭情報の設定は、「前日分の残置釣銭情報」を業務開始前の残置釣銭情報とし、売上入金の取引において操作部４から入力された残置釣銭情報を「本日分の残置釣銭情報」とする。
【００５９】
残置釣銭情報訂正部１０１ｂは、設定されている残置釣銭情報を訂正するものである。例えば、残置釣銭情報訂正部１０１ａは、売上入金の取引において、残置釣銭情報が誤って入力された場合に、その入力された残置釣銭情報を訂正する。残置釣銭情報訂正部１０１ｂは、誤って入力された残置釣銭情報に、正しい残置釣銭情報を上書きすることで訂正する。
【００６０】
出金処理部１０３は、レジスタ担当者又は管理者の操作を受けて、出金取引を行うものである。出金処理部１０３は、レジスタ担当者等の操作により、レジスタ識別情報、レジスタカード識別情報、レジスタ担当者識別情報等の入力を受け付け、釣銭出金に係る金種別枚数を取得する。そして、出金処理部１０３は、釣銭出金に係る金種別枚数を硬貨処理機１に与えて、釣銭出金をさせるものである。
【００６１】
ここで、出金処理部１０３は、例えば、操作部４を介してレジスタ担当者又は管理者により金種別枚数を、その都度手入力により取得するようにしても良いし、また例えば、予め金種別枚数が設定されている複数の出金パターンの中からレジスタ担当者又は管理者により選択された出金パターンを取得するようにしても良い。
【００６２】
また、出金処理部１０３は、釣銭出金に係る金種別枚数を、レジスタ識別情報とレジスタカード識別情報等に対応付けた出金情報を入出金履歴記憶部１０９に記憶する。
【００６３】
さらに、出金処理部１０３は、同日の最初の釣銭出金から最終入金されるまでの間に、追加的に釣銭を出金する追加出金取引を行うことができる。追加出金の場合、出金処理部１０３は、金種及び枚数の入力を受け付け、その入力された金種及び枚数を出金すると共に、追加出金分の出金情報を入出金履歴記憶部１０７に記憶する。
【００６４】
入金処理部１０４は、レジスタ担当者又は管理者の操作を受けて、入金処理取引を行うものである。入金処理部１０４は、レジスタ識別情報、レジスタカード識別情報、レジスタ担当者識別情報、及び紙幣処理機２による入金された金種及び枚数が入力され、レジスタ識別情報、レジスタカード識別情報、シフト識別情報、レジスタ担当者識別情報、金種別の入金金額を対応付けて入出金履歴記憶部１０９に記憶するものである。
【００６５】
ここで、入金処理部１０４が行なう入金には、少なくとも、最終入金と途中入金と追加入金とがある。
【００６６】
最終入金とは、原則的には、レジスタ担当者の勤務が終了した後に行われる最終的な売上入金である。途中入金とは、レジスタ担当者の勤務が終了する前に行う入金をいう。途中入金は、例えば、防犯の観点から、レジスタに収納される現金を定期的に回収して入金する場合に用いられる。入金処理部１０４は、最終入金と途中入金とを区別して入出金履歴記憶部１０９に記憶する。
【００６７】
追加入金とは、最終入金又は途中入金等の１回の取引において、１回又は複数回に亘って追加的に行う入金である。追加入金は、例えば、１回の取引内で分割して現金を入金する場合や、１回の取引内で既に入金した現金の他に未入金の現金がある場合等に用いられる。入金処理部１０４は、追加入金がなされた場合、既に入金された入金額に追加された入金額を足し合わせて１回の入金情報として入金履歴記憶部１０９に記憶する。
【００６８】
最終入金の場合、入金処理部１０４は、レジスタ担当者又は管理者に残置釣銭情報の確認を要求するために、読み出した前日の残置釣銭情報を表示部３に表示する。
【００６９】
また、追加入金の場合、入金処理部１０４は、残置釣銭情報を確認させるために、前日の残置釣銭情報を表示部３に表示する。つまり、本日の残置釣銭情報が入力されており、最新の残置釣銭情報が今回入力された本日の残置釣銭情報である場合でも、追加入金の場合、入金処理部１０４は、前日の残置釣銭情報を表示部３に表示する。
【００７０】
さらに、途中入金の場合、入金処理部１０４は、残置釣銭情報を確認させるために、前日の残置釣銭情報を表示部３に表示する。途中入金の場合、１日のうちに複数回の入金取引がなされることになる。そのような場合、残置釣銭情報記憶部１０２の最新の残置釣銭情報は、同日に入力された本日の残置釣銭情報となる。このような場合でも、入金処理部１０４は、前日の残置釣銭情報を表示部３に表示する。
【００７１】
集計処理部１０５は、入出金履歴記憶部１０９に記憶されている入出金履歴と、残置釣銭情報記憶部１０２のレジスタの残置釣銭情報とを参照して、レジスタ毎の売上金の集計処理を行うものである。集計処理部１０５は、例えば、最終的な売上入金取引の際に、レジスタの売上金の集計処理を行う。
【００７２】
例えば、最終的な売上入金の際に、集計処理部１０５は、操作部４からレジスタ識別情報、レジスタカード識別情報等を取得し、レジスタ識別情報、レジスタカード識別情報等に対応する出金情報及び入金情報を、入出金履歴記憶部１０９から読み出す。
【００７３】
また、集計処理部１０５は、操作部４から取得したレジスタ識別情報に対応する最新の残置釣銭情報を、残置釣銭情報記憶部１０２から読み出す。つまり、本日の残置釣銭情報は、今回の売上入金取引内、入力された残置釣銭情報であるため、集計処理部１０５が読み出す最新の残置釣銭情報は、前日の残置釣銭情報となる。
【００７４】
そして、集計処理部１０５は、当該レジスタの入金情報及び出金情報と、前日の残置釣銭情報及び本日の残置釣銭情報とに基づいて、レジスタの売上金を計上する。集計処理部１０５による売上金の算出方法は、業務開始前（釣銭出金前）の残置釣銭の額と業務終了時（最終売上入金時）の残置釣銭の額とが異なることを考慮して、入金金額から出金金額を差し引いて求める方法を適用できる。なお、売上金の算出方法の詳細な説明については後述する。
【００７５】
また、集計処理部１０５は、入出金履歴記憶部１０９に記憶されている入出金履歴を参照して、レジスタ識別情報毎、レジスタ担当者識別情報毎に集計することができる。
【００７６】
訂正処理部１０６は、レジスタ担当者が出金処理及び又は入金処理を誤って操作した場合に、正しい出金処理及び又は入金処理に訂正するものである。
【００７７】
入金履歴記憶部１０７は、出金処理部１０３による出金情報及び入金処理部１０４による入金情報を履歴として記憶するものである。
【００７８】
（Ａ−２）第１の実施形態の動作
次に、第１の実施形態に係る入出金装置１０における入出金処理の動作、図面を参照しながら詳細に説明する。
【００７９】
（Ａ−２−１）出金処理
図５は、第１の実施形態に係る入出金装置１０における出金処理の動作を示すフローチャートである。
【００８０】
図５において、レジスタ担当者は、レジスタカードをカードリーダ５に読み取らせ、操作部４を操作してレジスタ担当者識別情報を入力し、釣銭出金の選択ボタンを選択する。これにより、入出金装置１０において、出金処理部１０３は、レジスタカード識別情報及びレジスタ担当者識別情報を取得して、釣銭出金処理を開始する（Ｓ１０１、Ｓ１０２）。
【００８１】
次に、レジスタ担当者は、操作部４を操作してレジスタ識別情報を入力する。これにより、出金処理部１０３は、レジスタ識別情報を取得する（Ｓ１０３）。
【００８２】
なお、Ｓ１０１〜Ｓ１０３の処理の流れの順序は限定されるものではない。レジスタカード識別情報、レジスタ担当者識別情報、レジスタ識別情報を取得できるのであれば、順序が変わっても良い。
【００８３】
また、レジスタカードがレジスタに対応することが予め設定されている場合（例えば、レジスタカードから読み取った情報にレジスタ識別情報が含まれる等の場合）には、レジスタ識別情報の入力を省略するようにしてもよい。
【００８４】
さらに、釣銭出金を行う主体は、レジスタ担当者に限定されるものではなく、管理者が行なっても良い。その場合、管理者は、管理者用のカードを用いて、レジスタを特定するレジスタ識別情報の入力を行う。
【００８５】
次に、レジスタ担当者は、操作部４を操作して、釣銭出金に係る金種別枚数を入力する。これにより、出金処理部１０３は、釣銭出金に係る金種別枚数を取り込む（Ｓ１０４）。
【００８６】
Ｓ１０５において、出金処理部１０３は、硬貨処理機１及び紙幣処理機２に対して、入力された釣銭出金に係る金種別枚数を出金するようにし指示する。これを受けて、硬貨処理機１及び紙幣処理機２は指示された金種別枚数の現金を出金する（Ｓ１０５）。
【００８７】
そして、出金処理部１０３は、レジスタ識別情報、レジスタカード識別情報、レジスタ担当者識別情報、金種別の出金金額を対応付けた出金情報を、入出金履歴記憶部１０９に記憶し（Ｓ１０６）、伝票記録部６が釣銭出金に係る伝票を発行する（Ｓ１０７）。
【００８８】
図６は、入出金履歴記憶部１０７における入出金履歴を説明する説明図である。図６に示すように、出金処理部１０３は、例えば、「通番：１」に、「レジスタ識別情報：１」、「レジスタカード識別情報：カードＡ」、「レジスタ担当者識別情報：１１１１」について、「区分：出金」を付与し、当該パターン出金の出金金額（合計金額）及び金種別枚数を対応付けて入出金履歴に残す。
【００８９】
（Ａ−２−２）最終的な売上入金（最終入金）
次に、第１の実施形態の入出金装置１０において最終入金処理の動作を、図面を参照しながら詳細に説明する。
【００９０】
図７及び図８は、第１の実施形態に係る入出金装置１０における最終入金処理の動作を示すフローチャートである。
【００９１】
図７において、レジスタ担当者は、レジスタカードをカードリーダ５に読み取らせ、操作部４を操作して、レジスタ担当者識別情報を入力し、最終入金の選択ボタンを選択する。これにより、入出金装置１０において、入金処理部１０４は、レジスタカード識別情報及びレジスタ担当者識別情報を取得して、最終入金処理を開始する（Ｓ２０１、Ｓ２０２）。
【００９２】
図９は、第１の実施形態の入金処理に係る選択画面の一例を示す画面図である。図９に示すように、入金処理に係る選択画面５００は、「最終入金」選択ボタン５０１、「途中入金」選択ボタン５０２、「追加入金」選択ボタン５０３、「確認」ボタン５０４を有する。最終入金を行おうとするレジスタ担当者は、図９の選択画面５００の「最終入金」選択ボタン５０１を選択し、「確認」ボタン５０４を選択することで、入金処理部１０４は最終入金処理を開始する。
【００９３】
次に、レジスタ担当者は、操作部４を操作してレジスタ識別情報を入力する。これにより、入金処理部１０４は、レジスタ識別情報を取得する（Ｓ２０３）。
【００９４】
なお、Ｓ２０１〜Ｓ２０３の処理の流れの順序は限定されるものではない。レジスタカード識別情報、レジスタ担当者識別情報、レジスタ識別情報を取得できるのであれば、順序が変わっても良い。
【００９５】
次に、入金処理部１０４は、本日の残置釣銭情報の入力画面を表示部３に表示し（Ｓ２０４）、レジスタ担当者は、今回レジスタに残置させる残置釣銭情報を入力する。これにより、入金処理部１０４は本日の残置釣銭情報を取得する（Ｓ２０５）。このとき、残置釣銭制御部１０１は本日の残置釣銭情報を残置釣銭情報記憶部１０２に本日分の残置釣銭情報として記憶する。
【００９６】
図１０は、第１の実施形態に係る残置釣銭情報の入力画面の一例を示す画面図である。図１０に示すように、残置釣銭情報の入力画面５１０は、例えば「本日の残置釣銭をご入力ください」等と記載されたガイダンス表示部５１１、残置釣銭情報の入力部５１２、「確認」ボタン５０４を有する。図１０において、入力部５１２は、例えば、金種毎に枚数を入力することができるテキスト入力部等を適用することができる。
【００９７】
例えば、レジスタ担当者は業務終了後にレジスタ（例えばＰＯＳレジスタ等）において残置釣銭の明細書（レシート）を出力し、残置釣銭を認識している。レジスタ担当者は、最終入金の際に、レジスタに残置させる釣銭の金種別枚数を入力する。これにより、本日の残置釣銭情報を入力することができる。
【００９８】
続いて、レジスタ担当者は現金を硬貨処理機１及び紙幣処理機２に投入し、硬貨処理機１及び紙幣処理機２が現金を計数する（Ｓ２０６）。
【００９９】
ここで、入金処理を行なう際、硬貨処理機１及び紙幣処理機２による現金計数だけでなく、レジスタ担当者の手入力による入金処理を行なうようにしてもよい。これは、例えば、商品券や、クレジットカード、ギフトカード等による売上や、また汚損金等もあるため、硬貨処理機１及び紙幣処理機２が計数できない場合もあるからである。このような場合には、レジスタ担当者が手入力により入金処理を行ない、入金金額等を確定する。
【０１００】
また、入金処理部１０４は、残置釣銭情報記憶部１０２を参照して、入力されたレジスタ識別情報に対応する最新の残置釣銭情報を取得する（Ｓ２０７）。つまり、入金処理部１０４は、今回入力された残置釣銭情報を除いた最新の残置釣銭情報として、前日の残置釣銭情報を取得する。
【０１０１】
硬貨処理機１及び紙幣処理機２が現金を計数すると、入金処理部１０４は、残置釣銭情報を含む確認画面を表示部３に表示する（Ｓ２０８）。ここで、確認画面は、少なくとも、今回入力された残置釣銭情報を含むものであればよい。勿論、確認画面は、前日の残置釣銭情報や、入金された現金の金種別枚数を含むものであっても良い。
【０１０２】
図１１は、第１の実施形態に係る残置釣銭情報の確認画面の一例を示す画面図である。図１１に示すように、残置釣銭情報の入力画面５２０は、例えば「前日と本日の残置釣銭をご確認ください」等と記載されたガイダンス表示部５２１、前日の残置釣銭情報を表示する表示部５２２と、本日の残置釣銭情報を表示する表示部５２３と、「確認」ボタン５２４と、「訂正」ボタン５２５とを有する。
【０１０３】
なお、図１１に例示する画面５２０は、本日の残置釣銭情報と前日の残置釣銭情報とを表示する場合を例示するが、上述したように、少なくとも本日の残置釣銭情報を含むものであれば良い。
【０１０４】
また、図１１において、残置釣銭の額をレジスタ担当者に確認させることを目的とするため、表示部５２２及び表示部５２３が残置釣銭の合計額のみを表示するものとしている。しかし、画面５２０が、前日及び本日の残置釣銭の金種別枚数及び合計額を表示するものであってもよい。
【０１０５】
Ｓ２０９において、レジスタ担当者は、表示部３の確認画面を見て、今回の残置釣銭情報が正しいか否かの確認を行う。そして、今回入力された本日の残置釣銭情報が正しい場合、レジスタ担当者は「確認」ボタン５２４を選択する（Ｓ２０９）。
【０１０６】
残置釣銭情報が正しい場合、入金処理部１０４は、レジスタ識別情報、レジスタカード識別情報、レジスタ担当者識別情報、最終入金である旨の区分、金種別の入金金額を対応付けた入金情報を、入出金履歴記憶部１０９に記憶し（Ｓ２１０）、伝票記録部６が最終入金に係る伝票を発行する（Ｓ２１１）。
【０１０７】
図１０に示すように、入金処理部１０４は、例えば、「通番：２」に、「レジスタ識別情報：１」、「レジスタカード識別情報：Ａ」、「レジスタ担当者識別情報：１１１１」について、「区分：最終入金」を付与し、当該最終入金として計数された入金金額及び金種枚数を対応付けて入出金履歴に残す。
【０１０８】
一方、Ｓ２０９において、今回入力された本日の残置釣銭情報が正しくない場合、レジスタ担当者は「訂正」ボタン５２５を選択する（Ｓ２０９）。
【０１０９】
残置釣銭情報が正しくない場合、入金処理部１０４は、入力された本日の残置釣銭情報を訂正させる訂正画面を表示部３に表示する（Ｓ２１２）。
【０１１０】
図１２は、第１の実施形態に係る残置釣銭情報の訂正画面の一例を示す画面図である。図１２に示すように、残置釣銭情報の訂正画面５３０は、例えば「本日の残置釣銭をご訂正ください」等と記載されたガイダンス表示部５３１、残置釣銭情報を訂正するための入力部５３２、「確認」ボタン５２４を有する。
【０１１１】
図１２の入力部５３２は、例えばテキスト入力部等であり、レジスタ担当者が金種別枚数を入力することができるものである。このとき、入力部５３２には、レジスタ担当者が当初入力した金種別枚数が表示できるようにしておき、レジスタ担当者がそれを見て金種別枚数の訂正を行うようにしても良い。
【０１１２】
レジスタ担当者が金種別枚数の訂正を行うと、レジスタ担当者は「確認」ボタン５３３を選択すると、入金処理部１０４は、レジスタ担当者に入力された残置釣銭情報を確認させるために、例えば図１１に例示する確認画面を表示する（Ｓ２１３）。
【０１１３】
残置釣銭情報が正しく入力され、レジスタ担当者により「確認」ボタン５３３が選択されると、残置釣銭制御部１０１は残置釣銭情報を訂正する（Ｓ２１４）。すなわち、入金処理部１０４は、今回の訂正前の残置釣銭情報に、訂正後の残置釣銭情報を上書きする。
【０１１４】
そして、入金処理部１０４は、レジスタ識別情報、レジスタカード識別情報、レジスタ担当者識別情報、最終入金である旨の区分、金種別の入金金額を対応付けた入金情報を、入出金履歴記憶部１０９に記憶し（Ｓ２１０）、伝票記録部６が最終入金に係る伝票を発行する（Ｓ２１１）。
【０１１５】
（Ａ−２−３）追加的な売上入金（追加入金）
次に、第１の実施形態の入出金装置１０において追加入金処理の動作を、図面を参照しながら詳細に説明する。
【０１１６】
図１３及び図８は、第１の実施形態に係る入出金装置１０における追加処理の動作を示すフローチャートである。
【０１１７】
図１３において、レジスタ担当者は、レジスタカードをカードリーダ５に読み取らせ、操作部４を操作して、レジスタ担当者識別情報を入力し、追加入金の選択ボタンを選択する。これにより、入出金装置１０において、入金処理部１０４は、レジスタカード識別情報及びレジスタ担当者識別情報を取得して、最終入金処理を開始する（Ｓ３０１、Ｓ３０２）。
【０１１８】
追加入金を行おうとするレジスタ担当者は、例えば図９の選択画面５００の「追加入金」選択ボタン５０３を選択し、「確認」ボタン５０４を選択することで、入金処理部１０４は追加入金処理を開始する。
【０１１９】
次に、レジスタ担当者は、操作部４を操作してレジスタ識別情報を入力する。これにより、入金処理部１０４は、レジスタ識別情報を取得する（Ｓ３０３）。
【０１２０】
続いて、レジスタ担当者は、追加入金する現金を硬貨処理機１及び紙幣処理機２に投入し、硬貨処理機１及び紙幣処理機２が現金を計数する（Ｓ３０４）。
【０１２１】
このとき、追加入金取引は、１取引内で再度追加して入金された場合である。そこで、入金処理部１０４は、当該取引内で入力された残置釣銭情報を読み出す（Ｓ３０５）。
【０１２２】
そして、硬貨処理機１及び紙幣処理機２が現金を計数すると、入金処理部１０４は、当該取引内で入力された残置釣銭情報を含む確認画面を表示部３に表示する（図８のＳ２０８）。図８のＳ２０９以降の処理は、上述した処理と同様であるため、ここでの詳細な説明は省略する。
【０１２３】
（Ａ−２−４）途中入金
次に、第１の実施形態の入出金装置１０において途中入金処理の動作を、図面を参照しながら詳細に説明する。
【０１２４】
図１４及び図８は、第１の実施形態に係る入出金装置１０における途中処理の動作を示すフローチャートである。
【０１２５】
図１４において、レジスタ担当者は、レジスタカードをカードリーダ５に読み取らせ、操作部４を操作して、レジスタ担当者識別情報を入力し、途中入金の選択ボタンを選択する。これにより、入出金装置１０において、入金処理部１０４は、レジスタカード識別情報及びレジスタ担当者識別情報を取得して、途中入金処理を開始する（Ｓ４０１、Ｓ４０２）。
【０１２６】
途中入金を行おうとするレジスタ担当者は、例えば図９の選択画面５００の「途中入金」選択ボタン５０２を選択し、「確認」ボタン５０４を選択することで、入金処理部１０４は途中入金処理を開始する。
【０１２７】
次に、レジスタ担当者は、操作部４を操作してレジスタ識別情報を入力する。これにより、入金処理部１０４は、レジスタ識別情報を取得する（Ｓ４０３）。
【０１２８】
続いて、レジスタ担当者は、追加入金する現金を硬貨処理機１及び紙幣処理機２に投入し、硬貨処理機１及び紙幣処理機２が現金を計数する（Ｓ４０４）。
【０１２９】
このとき、途中入金取引は、例えば入金忘れ等に対応するため、前回の精算集計から今回の精算集計までの間に複数なされるものである。
【０１３０】
そこで、入金処理部１０４は、２回目以降の途中入金の場合には、前回入力された残置釣銭情報を読み出す（Ｓ４０５）。つまり、１回目の売上入金の場合には、最終入金の場合と同様に、入金処理部１０４は、本日の残置釣銭情報の入力を受け付けるものとし、２回目以降の途中入金の場合には、前回入金された残置釣銭情報を読み出す。
【０１３１】
そして、硬貨処理機１及び紙幣処理機２が現金を計数すると、入金処理部１０４は、前回入力された残置釣銭情報を含む確認画面を表示部３に表示する（図８のＳ２０８）。
【０１３２】
図８のＳ２０９以降の処理は、上述した処理と同様である。途中入金の場合、レジスタに残置させる残置釣銭が異なる場合もある。このような場合でも、図８のＳ２０９、Ｓ２１２〜Ｓ２１４の訂正処理を行うことで、当該レジスタの残置釣銭情報を訂正することができる。
【０１３３】
（Ａ−２−５）集計処理
次に、第１の実施形態に係る入出金装置１０における集計処理の動作を、図面を参照しながら説明する。
【０１３４】
図１５は、第１の実施形態に係る入出金装置１０における集計処理（精算集計）の動作を示すフローチャートである。
【０１３５】
図１５において、精算集計を行う管理者は、管理者カードをカードリーダ５に読み取らせ、操作部４を操作して精算集計の選択ボタンを選択する。これにより、入出金装置１０において、集計処理部１０５は、集計処理を開始する（Ｓ５０１）。
【０１３６】
集計処理部１０５は、入出金履歴記憶部から入金情報及び出金情報を取得する（Ｓ５０２）。
【０１３７】
ここで、集計処理部１０５は、入出金履歴記憶部１０７を参照して、レジスタ識別情報に対応する入金情報及び出金情報を取得する。このとき、入出金履歴記憶部１０７は、レジスタ識別情報、レジスタカード識別情報、レジスタ担当者識別情報等に対応付けて出金情報及び入金情報を記憶している。そのため、集計処理部１０５は、レジスタ識別情報をキーとして、対応する入金情報及び出金情報を取得し、各レジスタの入金された金種別枚数及び入金合計額及び出金された金種別枚数及び出金合計額を求める。
【０１３８】
また、集計処理部１０５は、残置釣銭情報記憶部１０２からレジスタ毎の残置釣銭情報を取得する（Ｓ５０３）。
【０１３９】
そして、集計処理部１０５は、レジスタの入金情報及び出金情報と、前日の残置釣銭情報と当日の残置釣銭情報とに基づいて、当該レジスタの売上金を算出する（Ｓ５０４）。
【０１４０】
図１６は、集計処理部１０５による売上集計処理を説明する説明図である。図１６では、前日の残置釣銭の合計額が「１０万円」であり、釣銭出金としての出金情報が「１５万円」であるとする。また、本日の現金売上額が「２０万円」とし、本日の残置釣銭の合計額が「１５万円」である場合を例示する。
【０１４１】
ここで、本日の残置釣銭の合計額が「１５万円」であるから、レジスタ担当者が売上入金する合計額は「３０万円」となる。
【０１４２】
集計処理部１０５は、式（１）に従って、レジスタ毎の売上金を求める。
【０１４３】
売上金＝｛（入金合計額）＋（本日の残置釣銭合計額）｝−｛（出金合計額）＋（前回の残置釣銭合計額）｝                      ・・・（１）
上記のようにして、釣銭不定残置運用の場合でも、集計処理部１０５は、適切にレジスタ毎の売上金を求めることができる。なお、集計処理部１０５が算出する集計方法は、式（１）に限定されるものではない。つまり、集計処理部１０５は、今回入力された残置釣銭合計額から前回の残置釣銭合計額を差し引いて売上金を算出することができれば、式（１）の変形式を用いるようにしても良い。
【０１４４】
なお、本日の精算集計時の残置釣銭は当該レジスタに残置される釣銭である。また、残置釣銭情報が残置釣銭情報記憶部１０２に記憶されているため、翌日の当該レジスタの残置釣銭として利用できる。その結果、翌日の業務開始時に、レジスタ担当者は新たに残置釣銭情報の入力をする必要はなくなり、残置釣銭情報の入力間違えを防止できる。
【０１４５】
（Ａ−３）第１の実施形態の効果
以上のように、第１の実施形態によれば、入金処理の際に、今回入力された残置釣銭情報から前回の残置釣銭情報を差し引くことで、釣銭不定残置運用の場合でも適切に売上金を算出することができる。
【０１４６】
（Ｂ）第２の実施形態
次に、本発明の現金処理装置及び現金処理プログラムの第２の実施形態を、図面を参照しながら詳細に説明する。
【０１４７】
第１の実施形態では、釣銭不定残置運用の場合でも売上金を算出する実施形態を例示した。
【０１４８】
しかし、例えば、（１）店舗側で設定した特定期間（閑散期間）や（２）特定の曜日だけ（オフ曜日）等の特定日又は特定期間に、店舗側は釣銭定額残置運用を行う場合がある。
【０１４９】
そこで、第２の実施形態では、店舗側が釣銭不定残置運用と釣銭不定残置運用とを使い分けて利用するような場合にも適用することができる実施形態を例示する。
【０１５０】
（Ｂ−１）第２の実施形態の構成
第２の実施形態は、入出金装置の制御部８の処理が第１の実施形態と異なり、それ以外の構成は、第１の実施形態と同様である。そこで、第２の実施形態においても、第１の実施形態で用いた図１及び図２を参照しながら詳細に説明する。
【０１５１】
図１７は、第２の実施形態の入出金装置１０の主制御部８による現金処理機能を示す機能ブロック図である。
【０１５２】
図１７において、第２の実施形態の主制御部８は、残置釣銭制御部１０１、出金処理部１０３、入金処理部１０４、集計処理部１０５、訂正処理部１０６を有する。また、第１の実施形態の記憶部７は、残置釣銭記憶部１０２、入出金履歴記憶部１０７を有する。
【０１５３】
なお、図１７において、第１の実施形態と対応する構成要素については、同一の符号を付与している。以下では、第２の実施形態に特有の構成要素の詳細な説明を行う。
【０１５４】
記憶部７は、第１の実施形態の残置釣銭情報記憶部１０２及び入出金履歴記憶部１０７に加えて、スケジュール記憶部１０８を有する。
【０１５５】
スケジュール記憶部１０８は、店舗のスケジュール情報を記憶するものである。スケジュール記憶部１０８は、例えば、店舗の繁盛期間や閑散期間、平日や休日等の別が設定されている。また、必要に応じて、スケジュール記憶部１０８は、それぞれの期間や日に、釣銭不定残置運用又は釣銭定額残置運用のいずれかを対応させた情報を記憶するものであっても良い。つまり、スケジュール記憶部１０８は、店舗スケジュールに応じて釣銭不定残置運用又は釣銭定額残置運用のいずれを用いるかを示す情報をスケジュール情報に含ませるものであっても良い。
【０１５６】
残置釣銭制御部１０１は、第１の実施形態と同様に、レジスタ毎の残置釣銭を管理制御するものである。第２の実施形態の残置釣銭制御部１０１は、第１の実施形態で説明した残置釣銭情報設定部１０１ａ及び残置釣銭情報訂正部１０１ｂに加えて、運用切替部１０１ｃを有する。
【０１５７】
運用切替部１０１ｃは、スケジュール記憶部１０８に記憶されるスケジュール情報に基づいて、釣銭不定残置運用の動作モード又は釣銭定額残置運用の動作モードのいずれかを検出して、残置運用の動作モードの切替制御を行うものである。
【０１５８】
なお、運用切替部１０１ｃによる釣銭残置運用の切替は、例えば管理者操作により手動で切り替えるようにしても良い。例えば、入出金装置１０が、管理者専用の操作画面を有しており、管理者による所定の操作を受けて、釣銭不定残置運用の動作モードとするか又は釣銭定額残置運用の動作モードとするかを設定できるようにしても良い。
【０１５９】
これにより、運用切替部１０１ｃがスケジュール情報に基づいて自動的に釣銭残置運用に応じて処理を切り替えるようにしても良いし、管理者操作に応じて手動で切り替えるようにしても良い。
【０１６０】
残置釣銭情報設定部１０１ａは、釣銭不定残置運用の場合、第１の実施形態と同様に、売上入金のときに、レジスタ担当者等に入力された残置釣銭情報を残置釣銭情報記憶部１０２に記憶するものである。
【０１６１】
また、残置釣銭情報設定部１０１ａは、各レジスタに残置させる金種別の残置釣銭情報を予め保持しており、釣銭定額残置運用の場合、売上入金のときに、予め保持されている残置釣銭情報を残置釣銭情報記憶部１０２に記憶していく。
【０１６２】
これにより、釣銭定額残置運用を適用する場合、売上入金の際に、レジスタ担当者に残置釣銭の入力を省くため、レジスタ担当者等による入力の手間を軽減することができ、又入力間違いを防止できる。
【０１６３】
なお、残置釣銭情報設定部１０１ａに予め保持しておく、釣銭定額残置運用で用いる残置釣銭情報は、管理者等により設定可能なものであり、又は設定変更も可能なものである。
【０１６４】
（Ｂ−２）第２の実施形態の動作
第２の実施形態における入出金装置１０における出金処理は第１の実施形態と同様である。また、集計処理も、以下に例示する売上入金処理を行うようことにより、第１の実施形態と同様の処理を適用することができる。
【０１６５】
そこで、以下では、第２の実施形態の入出金装置１０における売上入金処理の一例の動作を、図面を用いて詳細に説明する。
【０１６６】
図１８及び図８は、第２の実施形態に係る入出金装置１０における最終入金処理の動作を示すフローチャートである。なお、図１８及び図８において、第１の実施形態と同様の処理については同一の符号を付している。
【０１６７】
なお、ここでは、最終入金の場合を例示するが、途中入金の場合も図１８及び図８に例示する以下の処理と同様に処理を適用することができる。
【０１６８】
図１８において、レジスタ担当者は、レジスタカードをカードリーダ５に読み取らせ、操作部４を操作して、レジスタ担当者識別情報を入力し、最終入金の選択ボタンを選択する。これにより、入出金装置１０において、入金処理部１０４は、レジスタカード識別情報及びレジスタ担当者識別情報を取得して、最終入金処理を開始する（Ｓ２０１、Ｓ２０２）。また、レジスタ担当者は、操作部４を操作してレジスタ識別情報を入力する。これにより、入金処理部１０４は、レジスタ識別情報を取得する（Ｓ２０３）。
【０１６９】
次に、第２の実施形態の残置釣銭制御部１０１は、スケジュール記憶部１０８を参照して、本日の釣銭残置運用が釣銭定額残置運用であるか又は釣銭不定残置運用であるかを確認する（Ｓ６０１）。
【０１７０】
そして、本日が釣銭定額残置運用である場合、残置釣銭制御部１０１は、予め設定された残置釣銭情報を読み出す（Ｓ６０２）。そして、残置釣銭制御部１０１は、その予め設定された残置釣銭情報を残置釣銭情報記憶部１０２に記憶し、入金処理部１０４は処理をＳ２０６に移行する。
【０１７１】
なお、本日が釣銭不定残置運用である場合、第１の実施形態と同様に、入金処理部１０４は、本日の残置釣銭情報の入力画面を表示部３に表示し（Ｓ２０４）、レジスタ担当者は、今回レジスタに残置させる残置釣銭情報を入力する。これにより、入金処理部１０４は、本日の残置釣銭情報を取得する（Ｓ２０５）。
【０１７２】
続いて、レジスタ担当者は現金を硬貨処理機１及び紙幣処理機２に投入し、硬貨処理機１及び紙幣処理機２が現金を計数する（Ｓ２０６）。
【０１７３】
また、入金処理部１０４は、残置釣銭情報記憶部１０２を参照して、入力されたレジスタ識別情報に対応する最新の残置釣銭情報を取得する（Ｓ２０７）。つまり、入金処理部１０４は、今回残置釣銭情報記憶部１０２に記憶した残置釣銭情報（つまり、予め設定された残置釣銭情報）を除いた最新の残置釣銭情報として、前日の残置釣銭情報を取得する。
【０１７４】
硬貨処理機１及び紙幣処理機２が現金を計数すると、入金処理部１０４は、残置釣銭情報を含む確認画面を表示部３に表示する（Ｓ２０８）。
【０１７５】
ここで、確認画面は、例えば、今回の残置釣銭情報が、予め設定された残置釣銭情報である旨を示しても良い。
【０１７６】
Ｓ２０９において、レジスタ担当者は、表示部３の確認画面を見て、「確認」ボタン５２４を選択する（Ｓ２０９）。
【０１７７】
そして、入金処理部１０４は、レジスタ識別情報、レジスタカード識別情報、レジスタ担当者識別情報、最終入金である旨の区分、金種別の入金金額を対応付けた入金情報を、入出金履歴記憶部１０９に記憶し（Ｓ２１０）、伝票記録部６が最終入金に係る伝票を発行する（Ｓ２１１）。
【０１７８】
なお、Ｓ２０９で表示部３に表示する確認画面が、図１１の確認画面５２１のうち「訂正」ボタン５２５を有しないものであっても良い。つまり、残置釣銭情報の訂正ができないようにしても良い。これにより、図８のフローチャートにおけるＳ２１２、Ｓ２１３、Ｓ２１４の処理を省くことができる。
【０１７９】
（Ｂ−３）第２の実施形態の効果
以上のように、第２の実施形態によれば、第１の実施形態の効果に加えて、店舗のスケジュールに基づいて釣銭定額残置運用と釣銭不定残置運用とに応じた集計処理を切り替えることができる。
【０１８０】
また、第２の実施形態によれば、釣銭定額残置運用に切り替えた場合、釣銭残置金額を設定値で保持することで手入力の間違えを防止でき又手間が削減できる。
【０１８１】
（Ｃ）他の実施形態
上述した第１又は第２の実施形態においても種々の変形実施形態を説明したが、本発明は、以下の変形実施形態にも適用することができる。
【０１８２】
（Ｃ−１）上述した第１及び第２の実施形態では、本発明の現金処理装置が、各レジスタのドロワーに出金又はドロワーから入金する入出金装置に適用する場合を例示した。しかし、本発明は入出金装置に限定されるものではなく、例えばＰＯＳ端末と接続する自動釣銭支払機に搭載される現金処理装置にも本発明を適用することができる。つまり、各レジスタの残置釣銭情報と、各レジスタの入出金情報とを認識することができるものであれば、本発明は、入出金装置に限定されることはなく広く適用することができる。
【０１８３】
（Ｃ−２）上述した第２の実施形態では、釣銭定額残置運用を行う際、残置釣銭制御部１０１が、予め設定された所定額の残置釣銭情報を保持する場合を例示した。
【０１８４】
上記予め設定された所定額の残置釣銭情報は、各レジスタ毎に異なる金種別枚数及び合計額であっても良い。つまり、各レジスタの残置釣銭情報が認識できるものであれば、上記予め設定された所定額の残置釣銭情報はレジスタ毎に異なるものであってよい。
【０１８５】
また、上記予め設定された所定額の残置釣銭情報は、特定日又は特定の期間において、それぞれ異なる額であっても良い。つまり、釣銭定額残置運用を行う特定日又は特定期間の違いに応じて、予め設定しておく残置釣銭情報の額を変えるようにしても良い。この場合、スケジュール情報と予め設定する残置釣銭情報との対応情報を記憶しておく。そして、運用切替部１０１ｃが検出した特定日に対応する残置釣銭情報を適用することで実現することができる。
【符号の説明】
【０１８６】
１０…入出金装置、１…硬貨処理機、２…紙幣処理機、３…表示部、４…操作部、５…カードリーダ、６…伝票記録部、７…記憶部、８…主制御部、
１０１…残置釣銭制御部、１０２…残置釣銭情報記憶部、１０３…出金処理部、１０４…入金処理部、１０５…集計処理部、１０６…訂正処理部、１０７…入出金履歴記憶部、１０８…スケジュール記憶部。
【図１】
2014164521.tif 000003
【図２】
2014164521.tif 000004
【図３】
2014164521.tif 000005
【図４】
2014164521.tif 000006
【図５】
2014164521.tif 000007
【図６】
2014164521.tif 000008
【図７】
2014164521.tif 000009
【図８】
2014164521.tif 000010
【図９】
2014164521.tif 000011
【図１０】
2014164521.tif 000012
【図１１】
2014164521.tif 000013
【図１２】
2014164521.tif 000014
【図１３】
2014164521.tif 000015
【図１４】
2014164521.tif 000016
【図１５】
2014164521.tif 000017
【図１６】
2014164521.tif 000018
【図１７】
2014164521.tif 000019
【図１８】
2014164521.tif 000020
【図１９】
2014164521.tif 000021
【図２０】
2014164521.tif 000022